(57)【要約】【課題】折りたたまれた状態とすることで、運送をしやすくすることができる画像形成装置用清掃装置及び画像形成装置用清掃装置の出荷方法を提供する。  【解決手段】画像形成装置用清掃装置１０は、被清掃箇所に接触する接触面２８、３０を備え、清掃に用いられる清掃部２２と、清掃部２２に連結された把持部２４とを有し、清掃部２２及び把持部２４が折りたたまれた折りたたみ形状と、清掃に用いられる清掃形状との間で変形可能となっている。また、清掃部２２は、把持部２４に押圧されることにより折りたたまれた状態から開いた状態に変形可能となっている。【選択図】図２
2010243778.tif 000002
【特許請求の範囲】
【請求項１】
被清掃箇所に接触する接触部を備え清掃に用いられる清掃部と、
前記清掃部に連結された把持部と、
を有し、
前記清掃部及び前記把持部が互いに折りたたまれた折りたたみ形状と、清掃時の形状である清掃形状との間で変形可能な画像形成装置用清掃装置。
【請求項２】
前記清掃部は、前記把持部に押圧されることにより折りたたまれた状態から開いた状態に変形可能な請求項１記載の画像形成装置用清掃装置。
【請求項３】
使用方法を示した包装部材に包装されている請求項１又は２記載の画像形成装置用清掃装置。
【請求項４】
被清掃箇所に接触する接触部を備え清掃に用いられる清掃部と、前記清掃部に連結された把持部と、を有し、前記清掃部及び前記把持部が互いに折りたたまれた折りたたみ形状と、清掃時の形状である清掃形状との間で変形可能な画像形成装置用清掃装置を、前記折りたたみ形状で、画像形成装置本体内に着脱される現像装置とともに梱包する工程を有する画像形成装置用清掃装置の出荷方法。
【請求項５】
被清掃箇所に接触する接触部を備え清掃に用いられる清掃部と、前記清掃部に連結された把持部と、を有し、前記清掃部及び前記把持部が互いに折りたたまれた折りたたみ形状と、清掃時の形状である清掃形状との間で変形可能な画像形成装置用清掃装置を、前記折りたたみ形状で、画像形成装置本体内に着脱される像形成構造体とともに梱包する工程を有する画像形成装置用清掃装置の出荷方法。
【発明の詳細な説明】
【技術分野】
【０００１】
本発明は、画像形成装置用清掃装置及び画像形成装置用清掃装置の出荷方法に関する。
【背景技術】
【０００２】
特許文献１には、防塵ガラスを光学箱若しくは前記光学箱を密閉する蓋に有する走査式光学装置を搭載した画像形成装置において、前記防塵ガラスの透過面は像担持体への照射光 と直交ではない角度で交差するとともに水平と異なる角度を有し、前記画像形成装置は前記防塵ガラスの透過面を清掃するための清掃手段を有し、前記清掃手段 はパッド状の清掃部と清掃手段を保持するための保持部から成るとともに、前記保持部は前記清掃部と回動可能に接合されている防塵ガラスの 清掃手段が開示されている。
【先行技術文献】
【特許文献】
【０００３】
【特許文献１】特開２００５−２４６９０１号公報
【発明の概要】
【発明が解決しようとする課題】
【０００４】
本発明は、折りたたまれた状態とすることで、運送をしやすくすることができる画像形成装置用清掃装置及び画像形成装置用清掃装置の出荷方法を提供することにある、
【課題を解決するための手段】
【０００５】
請求項１に係る本発明は、被清掃箇所に接触する接触部を備え清掃に用いられる清掃部と、前記清掃部に連結された把持部と、を有し、前記清掃部及び前記把持部が互いに折りたたまれた折りたたみ形状と、清掃時の形状である清掃形状との間で変形可能な画像形成装置用清掃装置である。
【０００６】
請求項２に係る本発明は、前記清掃部は、前記把持部に押圧されることにより折りたたまれた状態から開いた状態に変形可能な請求項１記載の画像形成装置用清掃装置である。
【０００７】
請求項３に係る本発明は、使用方法を示した包装部材に包装されている請求項１又は２記載の画像形成装置用清掃装置である。
【０００８】
請求項４に係る本発明は、被清掃箇所に接触する接触部を備え清掃に用いられる清掃部と、前記清掃部に連結された把持部と、を有し、前記清掃部及び前記把持部が互いに折りたたまれた折りたたみ形状と、清掃時の形状である清掃形状との間で変形可能な画像形成装置用清掃装置を、前記折りたたみ形状で、画像形成装置本体内に着脱される現像装置とともに梱包する工程を有する画像形成装置用清掃装置の出荷方法である。
【０００９】
請求項５に係る本発明は、被清掃箇所に接触する接触部を備え清掃に用いられる清掃部と、前記清掃部に連結された把持部と、を有し、前記清掃部及び前記把持部が互いに折りたたまれた折りたたみ形状と、清掃時の形状である清掃形状との間で変形可能な画像形成装置用清掃装置を、前記折りたたみ形状で、画像形成装置本体内に着脱される像形成構造体とともに梱包する工程を有する画像形成装置用清掃装置の出荷方法である。
【発明の効果】
【００１０】
請求項１に係る本発明によれば、折りたたまれた状態とすることで、運送をしやすくすることができる画像形成装置用清掃装置を提供することができる。
【００１１】
請求項２に係る本発明によれば、請求項１に係る本発明が奏する効果に加えて、本構成を有しない場合と比較して簡単な操作で清掃をできる状態とすることができる画像形成装置用清掃装置を提供することができる。
【００１２】
請求項３に係る本発明によれば、請求項１又は２記載の本発明が奏する効果に加えて、使用方法を使用者に説明することができる画像形成装置用清掃装置を提供することができる。
【００１３】
請求項４に係る本発明によれば、本構成を有しない場合と比較して、清掃が必要となる適正な時期に画像形成装置用清掃装置を供給することができる画像形成装置用清掃装置の出荷方法を提供することができる。
【００１４】
請求項５に係る本発明によれば、本構成を有しない場合と比較して、清掃が必要となる適正な時期に画像形成装置用清掃装置を供給することができる画像形成装置用清掃装置の出荷方法を提供することができる。
【図面の簡単な説明】
【００１５】
【図１】本発明の第１の実施形態に係る画像形成装置用清掃装置であって、折りたたみ形状から清掃形状へ変形する途中の状態を示す斜視図である。
【図２】図１に示す画像形成装置用清掃装置が清掃形状にある状態を示す斜視図である。
【図３】図１に示す画像形成装置用清掃装置が折りたたみ形状にある状態を示す斜視図である。
【図４】図１に示す画像形成装置用清掃装置が有する本体部の製造途中の状態を示す平面図である。
【図５】図１に示す画像形成装置用清掃装置が包装部材に包装された状態を示す平面図である。
【図６】図１に示す画像形成装置用清掃装置が、現像装置とともに梱包された状態を説明する図である。
【図７】図１に示す画像形成装置用清掃装置が、感光体ユニットとともに梱包された状態を説明する図である。
【図８】図１に示す画像形成装置用清掃装置を用いて清掃される画像形成装置の一例を示す断面図である。
【図９】図８に示す画像形成装置の画像形成装置本体内に現像装置及び感光体ユニットが着脱される状態を説明する図である。
【図１０】本発明の第２の実施形態に係る画像形成装置用清掃装置を示す斜視図である。
【図１１】図１０に示す画像形成装置用清掃装置を示す側面図である。
【発明を実施するための形態】
【００１６】
次に、本発明を実施するための形態を、図面を参照して説明する。
図１乃至図３には、本発明の第１の実施形態に係る画像形成装置用清掃装置１０が示されている。
画像形成装置用清掃装置１０は、図２に示す清掃形状と、図３に示す折りたたみ形状との間で変形ができるようになっている。図１は、折りたたみ形状から清掃形状に変化する間の画像形成装置用清掃装置１０を示している。画像形成装置用清掃装置１０は、本体部１００と、本体部１００に取り付けられた清掃パッド１６及び清掃パッド１８とからなる。
【００１７】
本体部１００の材質は例えば厚紙であり、１枚の厚紙を折り、一部分を他の部分に付着することで製造されている。
【００１８】
清掃パッド１６及び清掃パッド１８の材質としては、例えば不織布やウレタン等の厚紙と比較してトナー等の粉体を掻き落としやすく、トナー等の粉体を吸着しやすい材質からなる部材が用いられる。
【００１９】
また、画像形成装置用清掃装置１０は、清掃に用いられる清掃部２２と、清掃部２２に連結された把持部２４とを有する。清掃部２２は、略四角筒形状を有し、被清掃箇所に接触する接触部として用いられる接触面２８及び接触面３０を有する。ここで、被清掃箇所としては、例えばトナー等の粉体が散乱している場所を挙げることができる。接触面２８には清掃パッド１６が、接触面３０には清掃パッド１８が取り付けられている。
【００２０】
清掃部２２は、画像形成装置用清掃装置１０が図３に示す折りたたみ形状にあると、四角筒が折りたたまれた状態となっている。この四角筒が折りたたまれた状態から、四角筒部分を半ばまで開いて図１に示す状態とし、さらに清掃部２２を把持部２４によって押圧されることによって、図２に示すように清掃部２２が広がり、且つ接触面２８と接触面３０とが略平らになるように変形する。
【００２１】
把持部２４は、例えば清掃をする際に使用者によって把持される。また、把持部２４は、清掃パッド１６及び清掃パッド１８を被清掃箇所に押圧するために用いられる。また、把持部２４は、画像形成装置用清掃装置１０を図１に示す形状から図２に示す押圧形状へ開くように変形させる際に清掃部２２を押圧する。
【００２２】
図４には、製造途中の本体部１００が示されている。
先述のように、本体部１００は、１枚の厚紙を折り、一部分を他の部分に付着することで製造される。図４は、折りたたまれる前であって、付着がなされる前の本体部である。図４において、破線部は谷折りされる部分を示し、一点鎖線部は山折りされる部分を示している。本体部１００は、他の部分に付着される付着箇所１１２、１１４、１１６を有する。付着箇所１１２、１１４、１１６は、図４中にハッチングを付した被付着箇所１２２、１２４、１２６にそれぞれが付着される。
【００２３】
図４に示す本体部１００が、該当箇所が山折りされ、該当箇所が谷折りされ、付着箇所１１２、１１４、１１６がそれぞれ被付着箇所１２２、１２４、１２６に付着され、さらに、接触面２８に清掃パッド１６が取り付けられ、接触面３０に清掃パッド１８が取り付けられることによって、図１乃至図３に示す画像形成装置用清掃装置１０が製造される。
【００２４】
図５には、出荷に際して画像形成装置用清掃装置１０が包装部材１５０に包装された状態が示されている。包装部材１５０は、一方の面と他方の面とが付着された封止部１５２、１５２を両端部に有し、封止部１５２と封止部１５２の間に形成される空間中に画像形成装置用清掃装置１０が入れられるようになっている。
【００２５】
また、包装部材１５０の表側の面の一定の領域１５８には、画像形成装置用清掃装置１０の使用法が示されている。ここで、画像形成装置用清掃装置１０の使用法としては、図３に示す折りたたみ形状から図２に示す清掃形状へと画像形成装置用清掃装置１０を変形させる方法や、図２に示す清掃形状にある画像形成装置用清掃装置１０を用いて、被清掃部を清掃する方法を挙げることができる。
【００２６】
図６には、後述する画像形成装置４００で使用され、画像形成装置４００に対して着脱することができる現像装置４２０とともに梱包された画像形成装置用清掃装置１０が示されている。画像形成装置用清掃装置１０は包装部材１５０に包装され、現像装置４２０とともに梱包部材１８０に梱包されている。このように、画像形成装置用清掃装置１０を出荷する際には、画像形成装置用清掃装置１０が現像装置４２０とともに梱包される。
【００２７】
図７には、後述する画像形成装置４００で使用され、画像形成装置４００に対して着脱することができる感光体ユニット４３０とともに梱包された画像形成装置用清掃装置１０が示されている。画像形成装置用清掃装置１０は包装部材１５０に包装され、感光体ユニット４３０とともに梱包部材１８０に梱包されている。このように、画像形成装置用清掃装置１０を出荷する際には、画像形成装置用清掃装置１０が感光体ユニット４３０とともに梱包される。感光体ユニット４３０は、像形成構造体として用いられている。
【００２８】
図８には、画像形成装置用清掃装置１０で清掃がなされる対象の一例である画像形成装置４００が示されている。
画像形成装置４００は、画像形成装置本体４０２を有し、画像形成装置本体４０２内に感光体ユニット４３０Ｙ、４３０Ｍ、４３０Ｃ、４３０Ｋが装着されている。感光体ユニット４３０Ｙ、４３０Ｍ、４３０Ｃ、４３０Ｋは、それぞれが感光体ドラム４３２Ｙ、４３２Ｍ、４３２Ｃ、４３２Ｋを有し、それぞれが画像形成装置本体４０２内に着脱することができるようになっている。
【００２９】
また、画像形成装置本体４０２内には、現像装置４２０Ｙ、４２０Ｍ、４２０Ｃ、４２０Ｋが装着されている。現像装置４２０Ｙ、４２０Ｍ、４２０Ｃ、４２０Ｋは、それぞれが現像ロール４２２Ｙ、４２２Ｍ、４２２Ｃ、４２２Ｋを有し、それぞれが画像形成装置本体４０２内に着脱することができるようになっている。
【００３０】
また、画像形成装置本体４０２内には、感光体ドラム４３２Ｙ、４３２Ｍ、４３２Ｃ、４３２Ｋから、それぞれにトナー像が転写される中間転写ベルト４５０が装着されている。
【００３１】
また、画像形成装置本体４０２内には、感光体ドラム４３２Ｙ、４３２Ｍ、４３２Ｃ、４３２Ｋのそれぞれに光を照射し、感光体ドラム４３２Ｙ、４３２Ｍ、４３２Ｃ、４３２Ｋのそれぞれに潜像を形成する潜像形成装置４４０が設けられている。潜像形成装置４４０は、潜像形成装置本体４４２を有し、潜像形成装置本体４４２に、照射窓４４４Ｙ、４４４Ｍ、４４４Ｃ、４４４Ｋが形成されている。
【００３２】
潜像形成装置４４０では、潜像形成装置本体４４２内から、照射窓４４４Ｙ、４４４Ｍ、４４４Ｃ、４４４Ｋを通過するようにして、感光体ドラム４３２Ｙ、４３２Ｍ、４３２Ｃ、４３２Ｋに対してそれぞれ光が照射される。このため、照射窓４４４Ｙ、４４４Ｍ、４４４Ｃ、４４４Ｋに例えばトナー等の異物が付着すると、感光体ドラム４３２Ｙ、４３２Ｍ、４３２Ｃ、４３２Ｋに対する光の照射が良好になされなくなり、画像形成装置４００で形成される画像の画質が低下する虞がある。
【００３３】
その一方で、画像形成装置４００では、感光体ドラム４３２Ｙ、４３２Ｍ、４３２Ｃ、４３２Ｋと、現像ロール４２２Ｙ、４２２Ｍ、４２２Ｃ、４２２Ｋとの重力方向下方に照射窓４４４Ｙ、４４４Ｍ、４４４Ｃ、４４４Ｋが配置されている。したがって、感光体ドラム４３２Ｙ、４３２Ｍ、４３２Ｃ、４３２Ｋと、現像ロール４２２Ｙ、４２２Ｍ、４２２Ｃ、４２２Ｋとから落下するトナーが、照射窓４４４Ｙ、４４４Ｍ、４４４Ｃ、４４４Ｋに付着しやすい。このため、画質の低下を防止するためには、照射窓４４４Ｙ、４４４Ｍ、４４４Ｃ、４４４Ｋを一定の頻度で清掃することが望ましい。
【００３４】
以上のように構成された画像形成装置４００では、潜像形成装置４４０から光が照射されることで感光体ドラム４３２Ｙ、４３２Ｍ、４３２Ｃ、４３２Ｋに潜像が形成され、形成された潜像が現像装置４２０Ｙ、４２０Ｍ、４２０Ｃ、４２０Ｋによって現像されることで感光体ドラム４３２Ｙ、４３２Ｍ、４３２Ｃ、４３２Ｋに、イエロートナー像、マゼンタトナー像、シアントナー像、黒トナー像がそれぞれ形成される。そして、これらのトナー像が中間転写ベルト４５０に転写されて、中間転写ベルト４５０から用紙に対してさらにトナー像が転写されることによって画像が形成される。
【００３５】
図９には、画像形成装置本体４０２内に、感光体ユニット４３０Ｙ、４３０Ｍ、４３０Ｃ、４３０Ｋと、現像装置４２０Ｙ、４２０Ｍ、４２０Ｃ、４２０Ｋとを着脱する方法が説明されている。図９に示すように、中間転写ベルト４５０は、画像形成装置本体４０２に対して開くことができるようになっている。そして、中間転写ベルト４５０を画像形成装置本体４０２に対して開くと、画像形成装置本体４０２に上向きの開放部４０６が形成される。そして、この開放部４０６を介して、画像形成装置本体４０２内に感光体ユニット４３０Ｙ、４３０Ｍ、４３０Ｃ、４３０Ｋと、現像装置４２０Ｙ、４２０Ｍ、４２０Ｃ、４２０Ｋとが着脱される。
【００３６】
図９に示すように、感光体ユニット４３０Ｙ、４３０Ｍ、４３０Ｃ、４３０Ｋと、現像装置４２０Ｙ、４２０Ｍ、４２０Ｃ、４２０Ｋとのいずれかを画像形成装置本体４０２内から取り外すと、照射窓４４４Ｙ、４４４Ｍ、４４４Ｃ、４４４Ｋのいずれかの上方が開放された状態となる。この状態は、照射窓４４４Ｙ、４４４Ｍ、４４４Ｃ、４４４Ｋのいずれかを清掃するために好適な状態である。
【００３７】
感光体ユニット４３０Ｙ、４３０Ｍ、４３０Ｃ、４３０Ｋと、現像装置４２０Ｙ、４２０Ｍ、４２０Ｃ、４２０Ｋとのいずれかを画像形成装置本体４０２内から取り外すのは、通常はこれらの交換時である。このため、新たな感光体ユニット４３０Ｙ、４３０Ｍ、４３０Ｃ、４３０Ｋと、現像装置４２０Ｙ、４２０Ｍ、４２０Ｃ、４２０Ｋとのいずれかが、梱包部材１８０（図６、図７参照）から取り出される。その際、梱包部材１８０に梱包されている画像形成装置用清掃装置１０を用いて照射窓４４４Ｙ、４４４Ｍ、４４４Ｃ、４４４Ｋのいずれかを清掃すれば、照射窓４４４Ｙ、４４４Ｍ、４４４Ｃ、４４４Ｋが一定の頻度で清掃されることになる。
【００３８】
図１０及び図１１には、本発明の第２の実施形態に係る画像形成装置用清掃装置１０が示されている。
先述の第１の実施形態に係る画像形成装置用清掃装置１０においては、清掃部２２は、略四角筒形状をしていた。これに対して、この第２の実施形態では、清掃部２２は、１枚に厚紙が２箇所で折られた形状をしている。また、先述の第１の実施形態に係る画像形成装置用清掃装置１０は、接触面２８、接触面３０との２つの接触面を有していたのに対して、この第２の実施形態に係る画像形成装置用清掃装置１０は、１つの接触面２８を有している。また、先述の第１の実施形態に係る画像形成装置用清掃装置１０は、２つの清掃パッド１６、１８を有していたのに対して、この第２の実施形態に係る画像形成装置用清掃装置１０は、１つの清掃パッド１６を有している。
【００３９】
図１０及び図１１には、清掃時の形状である清掃形状にある画像形成装置用清掃装置１０が示されている。この第２の実施形態に係る画像形成装置用清掃装置１０では、本体部１００の一端部を図１１に示す矢印ａ１方向に折り、本体部１００の他端部を図１１に示す矢印ａ２方向に折り、さらに本体部１００の略中央部分を図１１に示す矢印ａ３方向に折ることで、清掃部２２と把持部２４とが互いに折りたたまれた折りたたみ形状となる。
【産業上の利用可能性】
【００４０】
以上で説明をしたように、本発明は、画像形成装置用清掃装置と、画像形成装置用清掃装置の出荷方法とに適用することができる。
【符号の説明】
【００４１】
１０・・・画像形成装置用清掃装置
２２・・・清掃部
２４・・・把持部
２８、３０・・・接触面
１００・・・本体部
１５０・・・梱包部材
１５８・・・領域
１８０・・・梱包部材
４００・・・画像形成装置
４２０・・・現像装置
４３０・・・感光体ユニット
４４０・・・潜像形成装置
【図１】
2010243778.tif 000003
【図２】
2010243778.tif 000004
【図３】
2010243778.tif 000005
【図４】
2010243778.tif 000006
【図５】
2010243778.tif 000007
【図６】
2010243778.tif 000008
【図７】
2010243778.tif 000009
【図８】
2010243778.tif 000010
【図９】
2010243778.tif 000011
【図１０】
2010243778.tif 000012
【図１１】
2010243778.tif 000013